(57)【要約】  再使用可能な身体穿刺器具（１０２）とともに使用するための身体穿刺カートリッジ（１００）を含む身体部分の装飾ピアスのための装置およびシステムが開示される。身体穿刺カートリッジ（１００）は、器具（１０２）の指把持部（１１２）に結合した器具（１０２）の対応する造作（８０２）と係合する造作（７０４）を含む。顎部（１０６）の係合用造作（７０４）は、突出した顎部（１０６）を実現すべく、顎部（１０６）の端部が身体穿刺器具（１０２）の前方延長部（１２６）を超えて突出するように、顎部（１０６）の端部よりも後方に配置される。突出した顎部（１０６）は、身体穿刺器具（１０２）が身体に接触する可能性を低減し、したがって感染の可能性を低減する。突出した顎部（１０６）は、鼻孔などにクラッチのないピアスを装着するためにとくに有用である。【選択図】図１B
2020522305.tif 000002
【特許請求の範囲】
【請求項１】
身体穿刺器具との係合のための後縁部を有する主ハウジングであって、前記身体穿刺器具は、摺動可能に係合した指把持部および掌把持部を備えており、該主ハウジングの前記後縁部は、前記掌把持部に堅固に結合したプッシュサポートに係合する主ハウジングと、
ポストを支持し、前記主ハウジング内のポストホルダトラックに摺動可能に係合したポストホルダと、
顎部トラックによって前記主ハウジングに摺動可能に係合した顎部であって、前記顎部トラックは、前記ポストホルダトラックに平行であり、該顎部は、前記身体穿刺器具の前記指把持部に堅固に結合した対応する造作に係合するための造作を含み、該顎部の前記造作は、該顎部の端部が前記身体穿刺器具の前記指把持部からの前方延長部を超えて突出するように、該顎部の前記端部よりも後方に配置されている顎部と
を備えており、
前記顎部は、前記身体穿刺器具の前記対応する造作に前記造作を係合させる前記指把持部と、前記身体穿刺器具の前記プッシュサポートに前記主ハウジングの後縁部を係合させる前記掌把持部との間に加えられる圧力によって、前記顎部および主ハウジングが前記顎部トラックに沿って相互に移動するときに、前記ポストで身体部分を穿刺するための裏当てプラットフォームを支持する、身体穿刺器具用カートリッジ。
【請求項２】
前記指把持部からの前記前方延長部は、尖っていない先端部へと先細りである、請求項１に記載の身体穿刺器具用カートリッジ。
【請求項３】
前記前方延長部の前記尖っていない先端部は、リップを備え、前記顎部の前記造作は、横断スロットを備え、前記指把持部の前記対応する造作は、前記リップを備える、請求項２に記載の身体穿刺器具用カートリッジ。
【請求項４】
前記ポストホルダは、前記主ハウジング内の前記ポストホルダトラックに摺動可能に係合しているときに前記ポストを支持するように一体に保持される別々の部分を含み、前記別々の部分は、前記ポストホルダトラックを出た後に前記ポストを解放するように分離する、請求項１に記載の身体穿刺器具用カートリッジ。
【請求項５】
前記身体穿刺器具は、前記主ハウジングの前記後縁部が前記掌把持部の前記プッシュサポートに係合し、前記顎部の前記造作が前記指把持部の前記対応する造作に係合した後に、前記顎部および主ハウジングの相互の移動に抗するように、前記指把持部と前記掌把持部との間に配置されたばねを備える、請求項１に記載の身体穿刺器具用カートリッジ。
【請求項６】
前記顎部は、穿刺時に前記顎部および主ハウジングが相互に移動するときに前記ポストホルダを過ぎて摺動して前記ポストホルダの後端部に係合し、穿刺後に前記顎部および主ハウジングが前記ばねによって押し離されるときに前記ポストホルダを前記ポストホルダトラックから押し出すプッシュキャッチを含む、請求項５に記載の身体穿刺器具用カートリッジ。
【請求項７】
前記裏当てプラットフォームは、穿刺位置の裏側の周りの領域においてユーザの身体部分を支持するための表面と、前記ポストに整列した貫通穴とを備える、請求項１に記載の身体穿刺器具用カートリッジ。
【請求項８】
前記貫通穴は、穿刺時の前記ポストによる或る程度の垂直方向の動きに対応するように垂直方向に長い、請求項７に記載の身体穿刺器具用カートリッジ。
【請求項９】
前記ポストは、クラッチなしのピアスの装着のための円錐形のかかりを備える、請求項１に記載の身体穿刺器具用カートリッジ。
【請求項１０】
前記裏当てプラットフォームは、垂直スロットに配置されたクラッチを収容し、前記クラッチは、穿刺時に前記ポストに係合し、その後に前記垂直スロットから滑り出る、請求項１に記載の身体穿刺器具用カートリッジ。
【請求項１１】
前記指把持部および前記掌把持部の各々は、把持を改善するための一連の隆起または突起を備える、請求項１に記載の身体穿刺器具用カートリッジ。
【請求項１２】
身体部分を穿刺する方法であって、
身体穿刺カートリッジの主ハウジングの後縁部を身体穿刺器具のプッシュサポートに係合させるステップであって、前記身体穿刺器具は、掌把持部に摺動可能に係合した指把持部を備えており、前記プッシュサポートは、前記掌把持部に堅固に結合しており、前記身体穿刺カートリッジは、顎部トラックにおいて前記主ハウジングに摺動可能に係合する顎部を備え、ポストを支持するポストホルダが、前記主ハウジング内のポストホルダトラックに摺動可能に係合し、前記顎部トラックは前記ポストホルダトラックに平行であるステップと、
前記身体穿刺カートリッジの前記顎部上の造作を、前記身体穿刺器具の前記指把持部に堅固に結合した対応する造作に係合させるステップであって、前記顎部の前記造作は、前記顎部の端部が前記身体穿刺器具の前記指把持部からの前方延長部を超えて突出するように、前記顎部の前記端部よりも後方に配置されているステップと、
身体部分を前記顎部の裏当てプラットフォームに対して配置し、前記身体部分を前記顎部と前記ポストとの間に位置させるステップと、
ユーザの手の１本以上の指を前記身体穿刺器具の前記指把持部に配置するステップと、
前記ユーザの手の掌を前記身体穿刺器具の前記掌把持部に配置するステップと、
ポストが前記顎部の前記裏当てプラットフォームに対して前記身体部分を穿刺するように、前記カートリッジの前記顎部と前記本体とを前記顎部トラックに沿って相互に移動させるべく、前記身体穿刺器具の前記対応する造作に前記造作を係合させる前記指把持部と、前記身体穿刺器具の前記プッシュサポートに前記主ハウジングの後縁部を係合させる前記掌把持部との間に圧力を生じさせるために、前記掌と前記１本以上の指との間に圧力を加えるステップと
を含む方法。
【請求項１３】
前記指把持部からの前記前方延長部は、尖っていない先端部へと先細りである、請求項１２に記載の方法。
【請求項１４】
前記前方延長部の前記尖っていない先端部は、リップを備え、前記顎部の前記造作は、横断スロットを備え、前記指把持部の前記対応する造作は、前記リップを備える、請求項１３に記載の方法。
【請求項１５】
前記ポストホルダは、前記主ハウジング内の前記ポストホルダトラックに摺動可能に係合しているときに前記ポストを支持するように一体に保持される別々の部分を含み、前記別々の部分は、前記ポストホルダトラックを出た後に前記ポストを解放するように分離する、請求項１２に記載の方法。
【請求項１６】
前記身体穿刺器具は、前記主ハウジングの前記後縁部が前記掌把持部の前記プッシュサポートに係合し、前記顎部の前記造作が前記指把持部の前記対応する造作に係合した後に、前記顎部および主ハウジングの相互の移動に抗するように、前記指把持部と前記掌把持部との間に配置されたばねを備える、請求項１２に記載の方法。
【請求項１７】
前記顎部は、穿刺時に前記顎部および主ハウジングが相互に移動するときに前記ポストホルダを過ぎて摺動して前記ポストホルダの後端部に係合し、穿刺後に前記顎部および主ハウジングが前記ばねによって押し離されるときに前記ポストホルダを前記ポストホルダトラックから押し出すプッシュキャッチを含む、請求項１６に記載の方法。
【請求項１８】
前記ポストは、クラッチなしのピアスの装着のための円錐形のかかりを備える、請求項１２に記載の方法。
【請求項１９】
主ハウジングと、顎部トラックにおいて前記主ハウジングに摺動可能に係合した顎部と、ポストを支持し、ポストホルダトラックにおいて前記主ハウジングに摺動可能に係合したポストホルダとを含んでおり、前記顎部トラックは前記ポストホルダトラックに平行である身体穿刺カートリッジと、
摺動可能に係合した指把持部および掌把持部を含んでおり、プッシュサポートが前記掌把持部に堅固に結合している身体穿刺器具と
を備え、
前記顎部は、前記身体穿刺器具の前記指把持部に堅固に結合した対応する造作に係合する造作を含み、前記顎部の前記造作は、前記顎部の前端部が前記身体穿刺器具の前記指把持部からの前方延長部を超えて突出するように、前記顎部の前記前端部よりも後方に配置されており、
前記顎部は、前記身体穿刺器具の前記対応する造作に前記造作を係合させる前記指把持部と、前記身体穿刺器具の前記プッシュサポートに前記主ハウジングの後縁部を係合させる前記掌把持部との間に加えられる圧力によって、前記顎部および主ハウジングが前記顎部トラックに沿って相互に移動するときに、前記ポストで身体部分を穿刺するための裏当てプラットフォームを支持する、身体穿刺システム。
【請求項２０】
前記指把持部からの前記前方延長部は、尖っていない先端部へと先細りであり、前記前方延長部の前記尖っていない先端部は、リップを備え、前記顎部の前記造作は、横断スロットを備え、前記指把持部の前記対応する造作は、前記リップを備える、請求項１９に記載の身体穿刺システム。
【発明の詳細な説明】
【背景技術】
【０００１】
発明の背景
１．発明の分野
本発明は、身体部分の装飾ピアスのための装置および方法に関する。とくには、本発明は、身体穿刺器具とともに使用するためのカートリッジのための装置および方法に関する。
【０００２】
２．関連技術の説明
近年、身体の穿刺が、米国および世界中でますます一般的に行われるようになってきている。身体部分の穿刺は古くから行われているが、その実施は、急速に日常的な行為になりつつあり、医療の経験または訓練を経ていない素人によって行われることも多い。また、主流の身体穿刺が、耳だけでなく、他の身体部分の穿刺を含むように発展していることを、理解することも重要である。例えば、臍またはへそ、眉、唇、などの付近の身体の穿刺が、以前よりもはるかに一般的である。現時点において、安全、衛生的、かつ使いやすい身体部分の穿刺を可能にするいくつかの手動の装置が利用可能である。そのようなシステムの例が、いずれも本明細書に援用される１９９６年３月５日に発行されたＲｅｉｌによる米国特許第５，４９６，３４３号、１９９８年８月１１日に発行されたＲｅｉｌによる米国特許第５，７９２，１７０号、１９９９年２月９日に発行されたＲｅｉｌによる米国特許第５，８６８，７７４号、２００３年７月２９日に発行されたＲｅｉｌによる米国特許第６，５９９，３０６号、および２００４年９月２８日に発行されたＲｅｉｌによる米国特許第６，７９６，９９０号に開示されている。
【０００３】
針での完全に手動による穿刺に加えて、今日では、利用可能なさまざまな身体穿刺システムが存在する。これらの種々の身体穿刺システムは、基本的に、ポスト（スタッド、ピン、または穿刺ピンとも呼ばれる）を有する付随の装飾片を含むスタッド（イヤリングまたはピアスイヤリングとも呼ばれる）と、ナット（留め金またはクラッチと呼ばれることもある）とを、カートリッジに取り付けて備える。カートリッジは、カートリッジを支持して動作させるための身体穿刺器具（「ガン型」装置）とともに使用される。穿刺のプロセスにおいて、身体部分（例えば、耳たぶ）がポストとナットとの間に配置され、カートリッジが手または特別な身体穿刺システム（または、「ガン」、器具、またはアセンブリ）における動作のいずれかによって圧迫されることで、ポストが身体部分を穿刺してナットに係合する。理想的には、身体穿刺器具は使用時に身体に接触することがなく、カートリッジのみが身体に接触する。したがって、身体穿刺カートリッジが、典型的には使い捨てである一方で、身体穿刺器具は、再使用可能である。
【０００４】
以上に鑑み、簡単であり、正確であり、繰り返しが可能であり、かつ安全である身体穿刺を提供する装置およびシステムについて、ニーズが存在する。とくには、使用時の衛生の改善をもたらすそのような方法および装置について、ニーズが存在する。さらに、ナットまたはクラッチを用いずに行われる穿刺においてそのような方法および装置を機能させるニーズも存在する。以下で説明されるように、本発明は、これらのニーズおよび他のニーズを満たす。
【発明の概要】
【０００５】
再使用可能な身体穿刺器具とともに使用するための身体穿刺カートリッジを含む身体部分の装飾ピアスのための装置およびシステムが開示される。身体穿刺カートリッジは、器具の指把持部に結合した器具の対応する造作と係合する造作を含む。顎部の係合用造作は、突出した顎部を実現すべく、顎部の端部が身体穿刺器具の前方延長部を超えて突出するように、顎部の端部よりも後方に配置される。突出した顎部は、身体穿刺器具が身体に接触する可能性を低減し、したがって感染の可能性を低減する。突出した顎部は、鼻孔などにクラッチのないピアスを装着するためにとくに有用である。
【０００６】
本発明の典型的な実施形態は、身体穿刺器具用カートリッジを含み、この身体穿刺器具用カートリッジは、身体穿刺器具との係合のための後縁部を有する主ハウジングを含み、前記身体穿刺器具は、摺動可能に係合した指把持部および掌把持部を備え、前記主ハウジングの前記後縁部が、前記掌把持部に堅固に結合したプッシュサポートに係合する。この身体穿刺器具用カートリッジは、ポストを支持し、前記主ハウジング内のポストホルダトラックに摺動可能に係合するポストホルダを含む。この身体穿刺器具用カートリッジは、顎部トラックによって前記主ハウジングに摺動可能に係合した顎部を含み、前記顎部トラックは前記ポストホルダトラックに平行であり、前記顎部は、前記身体穿刺器具の前記指把持部に堅固に結合した対応する造作に係合するための造作を含み、前記顎部の前記造作は、前記顎部の端部が前記身体穿刺器具の前記指把持部からの前方延長部を超えて突出するように、前記顎部の前記端部よりも後方に配置される。前記顎部は、前記身体穿刺器具の前記対応する造作に前記造作を係合させる前記指把持部と、前記身体穿刺器具の前記プッシュサポートに前記主ハウジングの後縁部を係合させる前記掌把持部との間に加えられる圧力によって、前記顎部および主ハウジングが前記顎部トラックに沿って相互に移動するときに、前記ポストで身体部分を穿刺するための裏当てプラットフォームを支持する。典型的には、前記指把持部からの前記前方延長部は、尖っていない先端部へと先細りであってよい。加えて、前記前方延長部の前記尖っていない先端部は、リップを備え、前記顎部の前記造作は、横断スロットを備え、前記指把持部の前記対応する造作は、前記リップを備える。
【０００７】
いくつかの実施形態において、前記ポストホルダは、前記主ハウジング内の前記ポストホルダトラックに摺動可能に係合しているときに前記ポストを支持するように一体に保持される別々の部分を含むことができ、前記別々の部分は、前記ポストホルダトラックを出た後に前記ポストを解放するように分離する。いくつかの場合に、前記ポストは、クラッチなしのピアスの装着のための円錐形のかかりを備えることができる。
【０００８】
前記身体穿刺器具は、前記主ハウジングの前記後縁部が前記掌把持部の前記プッシュサポートに係合し、前記顎部の前記造作が前記指把持部の前記対応する造作に係合した後に、前記顎部および主ハウジングの相互の移動に抗するように、前記指把持部と前記掌把持部との間に配置されたばねを備えることができる。前記顎部は、穿刺時に前記顎部および主ハウジングが相互に移動するときに前記ポストホルダを過ぎて摺動して前記ポストホルダの後端部に係合し、穿刺後に前記顎部および主ハウジングが前記ばねによって押し離されるときに前記ポストホルダを前記ポストホルダトラックから押し出すプッシュキャッチを含むことができる。
【０００９】
前記裏当てプラットフォームは、穿刺位置の裏側の周囲の領域においてユーザの身体部分を支持するための表面と、前記ポストに整列した貫通穴とを備えることができる。前記貫通穴を、穿刺時に前記ポストによる或る程度の垂直方向の動きに対応するために、垂直方向に長くすることができる。いくつかの実施形態において、前記裏当てプラットフォームは、垂直スロット内に配置されたクラッチを収容し、このクラッチを穿刺時に前記ポストに係合させ、その後に垂直スロットから滑り出させることができる。前記指把持部および前記掌把持部の各々は、把持を改善するための一連の隆起または突起を備えることができる。
【００１０】
本発明の典型的な方法の実施形態は、身体部分を穿刺する方法を含み、この方法は、身体穿刺カートリッジの主ハウジングの後縁部を身体穿刺器具のプッシュサポートに係合させるステップを含み、前記身体穿刺器具は、掌把持部に摺動可能に係合した指把持部を備え、前記プッシュサポートは、前記掌把持部に堅固に結合しており、前記身体穿刺カートリッジは、顎部トラックにおいて前記主ハウジングに摺動可能に係合する顎部を備え、ポストを支持するポストホルダが、前記主ハウジング内のポストホルダトラックに摺動可能に係合し、前記顎部トラックは前記ポストホルダトラックに平行である。この方法は、前記身体穿刺カートリッジの前記顎部上の造作を、前記身体穿刺器具の前記指把持部に堅固に結合した対応する造作に係合させるステップを含み、前記顎部の前記造作は、前記顎部の端部が前記身体穿刺器具の前記指把持部からの前方延長部を超えて突出するように、前記顎部の前記端部よりも後方に配置されている。この方法は、身体部分を前記顎部の裏当てプラットフォームに対して配置し、前記身体部分を前記顎部と前記ポストとの間に位置させるステップと、ユーザの手の１本以上の指を前記身体穿刺器具の前記指把持部に配置するステップと、前記ユーザの手の掌を前記身体穿刺器具の前記掌把持部に配置するステップとを含む。この方法は、ポストが前記顎部の前記裏当てプラットフォームに対して前記身体部分を穿刺するように、前記カートリッジの前記顎部と前記本体とを前記顎部トラックに沿って相互に移動させるべく、前記身体穿刺器具の前記対応する造作に前記造作を係合させる前記指把持部と、前記身体穿刺器具の前記プッシュサポートに前記主ハウジングの後縁部を係合させる前記掌把持部との間に圧力を生じさせるために、前記掌と前記１本以上の指との間に圧力を加えるステップを含む。本発明の方法の実施形態は、本明細書に記載の装置またはシステムのいずれかに調和させて変更可能である。
【００１１】
本発明のシステムの実施形態は、主ハウジングと、顎部トラックにおいて前記主ハウジングに摺動可能に係合した顎部と、ポストを支持し、ポストホルダトラックにおいて前記主ハウジングに摺動可能に係合したポストホルダとを含んでおり、前記顎部トラックは前記ポストホルダトラックに平行である身体穿刺カートリッジと、摺動可能に係合した指把持部および掌把持部を含んでおり、プッシュサポートが前記掌把持部に堅固に結合している身体穿刺器具とを備える。前記顎部は、前記身体穿刺器具の前記指把持部に堅固に結合した対応する造作に係合する造作を含み、前記顎部の前記造作は、前記顎部の前端部が前記身体穿刺器具の前記指把持部からの前方延長部を超えて突出するように、前記顎部の前記前端部よりも後方に配置されている。前記顎部は、前記身体穿刺器具の前記対応する造作に前記造作を係合させる前記指把持部と、前記身体穿刺器具の前記プッシュサポートに前記主ハウジングの後縁部を係合させる前記掌把持部との間に加えられる圧力によって、前記顎部および主ハウジングが前記顎部トラックに沿って相互に移動するときに、前記ポストで身体部分を穿刺するための裏当てプラットフォームを支持する。本発明のシステムの実施形態は、本明細書に記載の装置または方法のいずれかに調和させて変更可能である。
【図面の簡単な説明】
【００１２】
ここで図面を参照すると、全体を通して、同様の参照番号は対応する部分を表している。
【００１３】
【図１Ａ】本発明の実施形態における典型的な身体穿刺カートリッジおよび身体穿刺器具の側面図を示している。
【００１４】
【図１Ｂ】本発明の実施形態における典型的な身体穿刺カートリッジおよび身体穿刺器具の斜視図を示している。
【００１５】
【図２Ａ】本発明の実施形態における典型的な身体穿刺カートリッジおよび身体穿刺器具の側面図を示しており、圧縮された状態の器具を示している。
【００１６】
【図２Ｂ】本発明の実施形態における典型的な身体穿刺カートリッジおよび身体穿刺器具の上方からの図を示しており、穿刺後の開いたポストキャリアを示している。
【００１７】
【図２Ｃ】本発明の実施形態における典型的な身体穿刺カートリッジおよび身体穿刺器具の後方からの図を示しており、圧縮された状態の器具を示している。
【００１８】
【図３Ａ】使用の準備ができた状態の本発明の典型的な身体穿刺カートリッジの実施形態の断面図を示している。
【００１９】
【図３Ｂ】身体部分を穿刺するために圧縮された使用時の本発明の典型的な身体穿刺カートリッジの実施形態の断面図を示している。
【００２０】
【図３Ｃ】ポストホルダを排出すべく解放された使用時の本発明の典型的な身体穿刺カートリッジの実施形態の断面図を示している。
【００２１】
【図４Ａ】本発明の手動式身体穿刺カートリッジの実施形態において使用するための典型的なポストホルダの前方からの斜視図を示している。
【００２２】
【図４Ｂ】本発明の手動式身体穿刺カートリッジの実施形態において使用するための典型的なポストホルダの後方からの斜視図を示している。
【００２３】
【図５Ａ】本発明の身体穿刺カートリッジの実施形態において使用するための典型的な円錐形のかかりを有するポストの側面図を示している。
【００２４】
【図５Ｂ】本発明の身体穿刺カートリッジの実施形態において使用するための典型的な円錐形のかかりを有するポストの後方からの斜視図を示している。
【００２５】
【図５Ｃ】本発明の身体穿刺カートリッジの実施形態において使用するための典型的な円錐形のかかりを有するポストの前方からの斜視図を示している。
【００２６】
【図６Ａ】本発明の身体穿刺カートリッジの実施形態において使用するための典型的な主ハウジングの前方からの斜視図を示している。
【００２７】
【図６Ｂ】本発明の身体穿刺カートリッジの実施形態において使用するための典型的な主ハウジングの後方からの斜視図を示している。
【００２８】
【図７Ａ】本発明の身体穿刺カートリッジの実施形態において使用するための典型的な顎部の後ろ下方からの斜視図を示している。
【００２９】
【図７Ｂ】本発明の身体穿刺カートリッジの実施形態において使用するための典型的な顎部の後方からの斜視図を示している。
【００３０】
【図７Ｃ】本発明の身体穿刺カートリッジの実施形態において使用するための典型的な顎部の後方からの図を示している。
【００３１】
【図８Ａ】本発明の身体穿刺カートリッジの実施形態において使用するための典型的な身体穿刺器具の上方からの斜視図を示している。
【００３２】
【図８Ｂ】本発明の身体穿刺カートリッジの実施形態において使用するための典型的な身体穿刺器具の後方からの斜視図を示している。
【００３３】
【図９】本発明の身体穿刺システムの実施形態を動作させる典型的な方法のフローチャートである。
【発明を実施するための形態】
【００３４】
好ましい実施形態を含む以下の説明においては、本明細書の一部を形成しており、本発明を実施することができる特定の実施形態を例示として示している添付の図面を参照する。本発明の技術的範囲から逸脱することなく、他の実施形態を利用することができ、構造上の変更を行うことができることを、理解されたい。
【００３５】
１．０  使い捨て手動カートリッジ身体穿刺器具
上述のように、本発明の種々の実施形態は、身体部分の装飾ピアスのための身体穿刺カートリッジとともに使用されるように設計され、そのような身体穿刺カートリッジを包含する。本発明の実施形態は、鼻の穿刺にとくに適するが、当業者であれば理解できるとおり、ほぼあらゆる身体部分の穿刺に使用することが可能である。本発明の実施形態は、手動の身体穿刺器具に取り付けられ、そのような身体穿刺器具とともに使用されるコンパクトかつ使い捨てのカートリッジを提供する。典型的には、カートリッジは、密封された殺菌済みのパッケージにて提供される。カートリッジにはポスト（スタッド装飾物を含む）があらかじめ装てんされているため、簡単に動作させて身体部分の穿刺を生じさせ、その後に廃棄することができる。身体穿刺器具を、新しいカートリッジで再使用することができる。
【００３６】
図１Ａおよび図１Ｂが、本発明の実施形態における典型的な身体穿刺カートリッジおよび身体穿刺器具の側面図および斜視図を示している。図１Ａは、作動前の身体穿刺器具１０２に装着された身体穿刺器具カートリッジ１００を示している。身体穿刺カートリッジ１００は、互いに摺動可能に係合した主ハウジング１０４および顎部１０６を含む。主ハウジング１０４の後縁部１０８が、身体穿刺器具１０２のプッシュサポート１１０と係合する。身体穿刺器具１０２は、やはり摺動可能に係合した指把持部１１２および掌把持部１１４を含む。掌把持部１１４の一部分は、図１Ａの点線で示されるように、指把持部１１２内に囲まれている。プッシュサポート１１０は、身体穿刺器具１０２の掌把持部１１４に堅固に結合しており、指把持部１１２の上部の内部から突出するように配置される。器具ばね１２２（圧縮ばね）が、掌把持部１１４および指把持部１１２の内部の間に配置され、ユーザの手からの圧力に対抗し、圧力が解放されたときに器具を開位置へと戻す。当業者であれば理解できるとおり、掌把持部１１４および指把持部のいずれかまたは両方の内部に取り付けられたポストおよび／またはソケットによって、ばね１２２の整列を確保することができる。
【００３７】
すでに述べたように、本発明の実施形態の１つの重要な特徴は、顎部１０６の端部が、身体穿刺器具１０２の指把持部１１２からの前方延長部１２６を超えて延びていることである。換言すると、顎部１０６が、突出距離１２４だけ前方延長部１２６の端部から突出している。この突出は、穿刺の対象者の身体との接触の可能性を減らし、したがって感染の可能性を少なくし、穿刺器具１０２の再使用を可能にする。接触の可能性をさらに減らすために、指把持部１１２からの前方延長部１２６を、図示のように尖っていない先端部へと先細りにすることも可能である。
【００３８】
カートリッジ１００の器具１０２との係合は、カートリッジ１００の主ハウジング１０４の後縁部１０８と顎部１０６の底部の造作との間で確保される。後縁部１０８は、プッシュサポート１１０のポケット内のリップと係合する水平溝（または、スロット）を含むことができる（詳細は、以下で図６Ａおよび図６Ｂならびに図８Ａおよび図８Ｂにおいて示される）。同様に、顎部１０６の底部の造作は、指把持部１２２の前方延長部１２６の端部のリップと係合する水平溝（または、スロット）を備えることができる（詳細は、以下で図７Ａ〜図７Ｃならびに図８Ａおよび図８Ｂにおいて示される）。
【００３９】
図１Ｂは、本発明の実施形態における典型的な身体穿刺カートリッジ１００および身体穿刺器具１０２の斜視図を示している。カートリッジ内で、ポスト１１８を支持するポストホルダ１１６が、主ハウジング１０４内のポストホルダトラックに摺動可能に係合している。同様に、顎部１０６は、主ハウジング１０４内の顎部トラックに摺動可能に係合している。顎部トラックは、ポストホルダトラックと平行である。顎部１０６は、顎部１０６および主ハウジング１０４が顎部トラックに沿って相互に移動するときに、ポスト１１８で身体部分を穿刺するために裏当てプラットフォーム１２０を支持する。顎部１０６と本体１０４とを圧縮する動きに、これら２つの構成要素の内部かつこれら２つの構成要素の間に配置された圧縮ばねによって対抗することができる（詳細は、図３Ａ〜図３Ｃに示されている）。カートリッジ１００が器具１０２に係合しているとき、器具１０２の指把持部１１２と掌把持部１１４との間の動きも、顎部１０６およびポストホルダ１１６の動きに平行である。
【００４０】
典型的には、本発明の実施形態を、殺菌可能な射出成形プラスチック材料から製造することができるが、任意の他の適切な材料も可能である。主ハウジング１０４、顎部１０６、およびポストホルダ１１６のための個別の成形品のいずれも、不透明なプラスチックから形成することができる。しかしながら、カートリッジ１００の使用前にポストホルダ１１６内のスタッド装飾物を見て取ることができるように、ポストホルダ１１６を透明なプラスチックから成形することが望ましい。本発明の使い捨て手動カートリッジ身体穿刺器具の実施形態を、例えば金属などの機械加工による材料から製造することも可能であるが、使い捨て製品の優先事項である安価な製造が可能であるがゆえに、成形による材料が好ましい。本発明の実施形態は、好ましくは、装置があらかじめ組み込まれたポストでの穿刺をもたらすべく１回だけ使用された後に廃棄されるように、密封された殺菌済みのブリスター包装にて提供される。
【００４１】
図２Ａ〜図２Ｃが、本発明の実施形態における典型的な身体穿刺カートリッジ１００および身体穿刺器具１０２の種々の図を示しており、圧縮された（したがって、カートリッジ１００を圧縮している）状態の身体穿刺器具を示している。圧縮は、１本以上のユーザの指を指把持部１１２に配置し、ユーザの同じ手の掌（あるいは、親指）を掌把持部１１４に配置し、矢印によって示されるようにユーザが指把持部１１２と掌把持部１１４との間に圧力を加えることによって達成される。この動作により、掌把持部１１４が指把持部１１２へと押し込まれることで、掌把持部に堅固に結合したプッシュサポート１１０を（図示の矢印に沿って）同じ距離だけ移動させる。
【００４２】
図３Ａ〜図３Ｃが、さまざまな動作段階における本発明の典型的な身体穿刺カートリッジの実施形態の断面図を示している。ユーザは、最初に、身体穿刺カートリッジ１００を身体穿刺器具１０２に係合させる。次に、ユーザは、（他者の）身体部分３００を裏当てプラットフォーム１２０に対して配置する。すでに述べたようにユーザの手で器具１０２に圧力を加えると、カートリッジ１００の顎部１０６と本体１０４とが相互に移動し、結果としてポスト１１８が身体部分３００を穿刺する。これに続いて、ユーザの手が緩められると、ばね３０２からの圧力によって顎部１０６と本体１０４とが離れ、結果としてポスト１１８がポストホルダ１１６から解放され、身体部分３００を穿刺したままになる（器具１０２内の図１Ａに示されるばね１２２も、指把持部１１２と掌把持部１１４との分離に加えて、顎部１０６と本体１０４との分離を助ける）。
【００４３】
図３Ａは、使用の準備ができた状態の使い捨て身体穿刺カートリッジ１００の断面図を示している。図示のとおり、ポスト１１８は、主ハウジング１０４のポストホルダトラック３０４内にあるポストホルダ１１６内に支持されている。例えば、耳たぶ、鼻孔、へそフラップ、などの身体部分３００が、顎部１０６の裏当てプラットフォーム１２０に対して配置される。顎部１０６は、主ハウジング１０４の顎部トラック３０４に摺動可能に係合している。ばね３０２が、主ハウジング１０４内に配置され、主ハウジング１０４と顎部１０６とを押し離して、顎部１０６と主ハウジング１０４との相互の移動に対抗している。顎部１０６に取り付けられ、主ハウジング１０４内の縁部に係止されたキャッチ３０６が、ばね３０２の力による顎部１０６の主ハウジング１０４の顎部トラック３０８からの押し出しを防止する。
【００４４】
図３Ｂは、身体部分１２０を穿刺すべく圧縮された身体穿刺器具１０２で操作された本発明の典型的な身体穿刺カートリッジ１００の実施形態の断面図を示している。これを達成するために、例えば人差し指など、ユーザの手の１本以上の指が器具１０２の指把持部１１２に配置される一方で、ユーザの手の掌または親指が、器具１０２の掌把持部１１４に配置される。掌／親指と１本以上の指との間に圧力を加えることで、ポスト１１８が顎部１０６の裏当てプラットフォーム１２０に対して身体部分３００を穿刺するように、顎部１０６と本体１０４とが顎部トラック３０８に沿って相互に移動する。ポスト１１８の尖った端部が、身体部分３００を穿刺した後に顎部１０６の裏当てプラットフォーム１２０の穴に進入する。ばね３０２は、顎部１０６と本体１０４とを相互に押し合わせるユーザの手の圧力に抗して圧縮される。加えて、上り傾斜を備えた片持ちばねの構成を有するプッシュキャッチ３１０が、顎部１０６に取り付けられ、ポストホルダ１１６を過ぎて後方に移動し、ポストホルダ１１６の背後に飛び出している。
【００４５】
図３Ｃは、ポストホルダ１１６を排出すべく解放された身体穿刺器具１０２で操作された本発明の典型的な身体穿刺カートリッジ１００の実施形態の断面図を示している。ユーザの手が緩められると、ばね３０２からの圧力によって顎部１０６と本体１０４とが押し離される。顎部１０６がばね３０２からの力のもとで顎部トラック３０８に沿って移動するにつれて、すでにポストホルダ１１６の背後に飛び出していたプッシュキャッチ３１０が、今やポストホルダ１１６を前方へとポストホルダトラック３０４から押し出す。ポストホルダ１１６は、以下で詳しく説明されるように、ポストホルダトラック３０４内に位置しているときにのみポスト１１８を囲んで支持するように一体に保持される２つの部分を備える。ひとたびポストホルダ１１６がトラック３０４を出ると、ポストホルダ１１６の２つの部分は分離し、身体部分３００を穿刺したポスト１１８を解放する。
【００４６】
２．０  ポストホルダおよび円錐形のかかりを有するポスト
本発明の実施形態は、主ハウジング１０４内のポストホルダトラック３０４に摺動可能に係合したポストホルダ１１６によって支持されたポスト１１８を使用する。好ましくは、ポストホルダ１１６は、ポストホルダ１１６がポストホルダトラック３０４の壁に摺動可能に係合している限りは一体に保持されるが、ポストホルダトラック３０４を出た後には脱落してポスト１１８を解放する別々の部分を備える。例えば、別々の部分は、ポスト１１８のスタッド装飾物のためのソケットの半分４０６Ａ、４０６Ｂをそれぞれ有する２つの半分４０２Ａ、４０２Ｂを備えることができ、これらが対となってポスト１１８のスタッド装飾物を完全に囲むとともに、尖ったポスト端部をポストホルダ１１６から突出させることを可能にする。加えて、２つの半分を、ポスト１１８の周囲に組み立てられたときに互いに係合する一方の半分に位置するピン４０４Ａおよび他方の半分に位置する対応するソケット４０４Ｂによって、互いにさらに整列させることができる。
【００４７】
図４Ａおよび図４Ｂは、本発明の身体穿刺カートリッジ１００の実施形態において使用するための典型的なポストホルダ１０６の斜視図を示している。別々の半分４０２Ａ、４０２Ｂは、各々の半分４０２Ａ、４０２Ｂが主ハウジング１０４のポストホルダトラック３０４内で互いに結合したときにポスト１１８を支持するためのソケットの半分４０６Ａ、４０６Ｂを備えるように、垂直面に沿って分割されている。２つの半分４０２Ａ、４０２Ｂを互いに結合させるときに、２つの半分４０２Ａ、４０２Ｂの整列を助けるために、２つの半分４０２Ａ、４０２Ｂの各々において、２つの半分４０２Ａ、４０２Ｂを分割する垂直面上に、対応するピン４０４Ａおよび穴４０４Ｂが配置されている。ピン４０４Ａと穴４０４Ｂとを、ポストホルダ１１６の左側と右側とに配置しても、あるいは右側と左側とに配置してもよい。
【００４８】
図５Ａ〜図５Ｃが、本発明の身体穿刺カートリッジ１００の実施形態において使用するための典型的な円錐形のかかりを有するポストの種々の図を示している。本発明のカートリッジ１００の実施形態は、任意の適切なポスト１１８の設計を採用することができる。ポスト１１８は、ポストホルダ１１６の半ソケット４０６Ａ、４０６Ｂによって形成されるソケットに囲まれる一端部に装飾物５０２を含む。さらに、半ソケット４０６Ａ、４０６Ｂは、顎部１０６の裏当てプラットフォーム１２０に向かってポストホルダ１１６から突出するポスト１１８のシャフト５０４を支持するチャネルも形成する。
【００４９】
シャフト５０４の他端部に位置する先端部５０６は、任意の適切な形態の尖った端部であってよい。例えば、先端部５０６は、カニューレの形態、円錐形の先端部、かかり、または身体の穿刺のための任意の他の既知の先端部を備えることができる。注目すべき一例において、先端部５０６は、シャフト５０４の直径よりも大きい直径へと広がる尖った円錐形の端部を備える円錐形のかかりを備える。逆さ円錐形の部分（尖った円錐形の端部と同じテーパ角を有する）が、直径を最も大きな直径からシャフト５０４の直径へと反転させる。この円錐形のかかりの形状は、例えば鼻孔を貫く身体の穿刺の形成を可能にし、尖った端部を固定するためのクラッチを必要とすることなく所定の位置にとどまる。広げられた円錐形のかかりは、クラッチなしのピアスにおけるポストの脱落を防止する。
【００５０】
３．０  主ハウジングのトラック
図６Ａおよび図６Ｂが、本発明の身体穿刺カートリッジ１００の実施形態において使用するための典型的な主ハウジング１０４の種々の図を示している。主ハウジング１０４は、ポストホルダトラック３０４および顎部トラック３０８を含む。ポストホルダトラック３０４および顎部トラック３０８の形状がさまざまであってよいことに留意されたい。ポストホルダトラック３０４および顎部トラック３０８が、それらが摺動可能な係合を提供するように受け入れるそれぞれの要素部分、すなわちポストホルダ１１６および顎部１０６に一致する突出した断面を呈することだけが必要である。
【００５１】
すでに述べたように、顎部１０６は、顎部１０６と主ハウジング１０４とを押し離すバネ３０２に抗して顎部１０６を主ハウジング１０４の顎部トラック３０８に係合した状態に保持するためのキャッチ３０６をさらに含む。キャッチ３０６は、図３Ｃに示されるキャッチ３０６の位置に配置された顎部トラック３０８の底部の水平縁部６０２と係合するように設計される。加えて、主ハウジング１０４は、カートリッジ１００が組み立てられたときに円筒形の圧縮ばね３０２を所定の位置に固定するためのばね係合ピン６００をさらに含む。これは、以下で説明される顎部１０６のばね係合ソケット７０６と対をなす。
【００５２】
さらに、すでに述べたように、カートリッジ１００の器具１０２との係合は、カートリッジ１００の主ハウジング１０４の後縁部１０８と顎部１０６の底部の造作との間で確保される。主ハウジング１０４の後縁部１０８が、プッシュサポート１１０のポケット内のリップ８００と係合する水平溝（または、スロット）６０４を含む。図８Ａおよび図８Ｂも参照されたい。
【００５３】
４．０  顎部および裏当てプラットフォーム
図７Ａ〜図７Ｃが、本発明の手動式身体穿刺カートリッジの実施形態において使用するための典型的な顎部の種々の図を示している。裏当てプラットフォーム１２０は、穿刺位置の裏側の周囲の領域においてユーザの身体部分を支持するための表面と、ポスト１１８に整列した貫通穴７００とを備えることができる。貫通穴７００を、穿刺時にポスト１１８による或る程度の垂直方向の動きに対応するために、垂直方向に長くすることができる。あるいは、裏当てプラットフォーム１２０は、垂直スロット内に配置されたクラッチを収容することもでき、クラッチを穿刺時にポストに係合させ、その後に垂直スロットから滑り出させることができる。いくつかの例において、顎部１０６は、穿刺時の顎部１０６および本体１０４の動きを安定させるために、器具係合造作７０４の背後に配置された補強梁またはスティフナ７０２を含むことができる。
【００５４】
重要なことに、顎部１０６は、穿刺時に顎部１０６と主ハウジング１０４とが相互に動かされるときにポストホルダ１１６を過ぎて摺動してポストホルダ１１６の後端部に係合するプッシュキャッチ３１０を含むことができる。次いで、プッシュキャッチ３１０は、穿刺後にばね３０２が顎部１０６と主ハウジング１０４とを押し離すときに、ポストホルダ１１６をポストホルダトラック３０４から押し出す。
【００５５】
すでに述べたように、顎部１０６は、カートリッジ１００を器具１０２に係合させるために、身体穿刺器具１０２の対応する造作と係合するための造作７０４を含む。一例においては、顎部１０６の底部の造作が、指把持部１２２の前方延長部１２６の端部のリップ８０２と係合する水平溝（または、スロット）７０４を備えることができる。図８Ａおよび図８Ｂも参照されたい。本体１０４のプッシュサポート１１０との係合および顎部１０６の前方延長部１２６との係合の両方に関して、本発明の技術的範囲において多数のさまざまな種類の既知の機械的な係合の造作を使用できることを、当業者であれば理解できることに注意すべきである。理想的には、これらの２組の要素の係合は、カートリッジ１００が器具１０２から脱落することがないが、軽い力だけで取り外すことが可能であるように、スナップ嵌合にて人手によって容易に行われる。
【００５６】
５．０  身体穿刺器具
図８Ａおよび図８Ｂが、本発明の身体穿刺カートリッジ１００の実施形態とともに使用するための典型的な身体穿刺器具１０２の種々の図を示している。身体穿刺器具１０２は、摺動可能に係合した指把持部１１２および掌把持部１１４を含む。プッシュサポート１１０は、身体穿刺器具１０２の掌把持部１１４に堅固に結合しており、指把持部１１２の上部の内部から突出するように配置される。この例において、前方延長部１２６の尖っていない先端部は、顎部１０６の造作と係合するための対応する造作として、リップ８０２を備えることができる。したがって、顎部１０６の造作は、横断スロット７０４を備えることができ、指把持部１１２の対応する造作は、カートリッジ１００が器具内に設置されるときにスロット７０４と係合するリップ８０２を備える。同時に、本体１０４は、器具１０２のプッシュサポート１１０のポケット内のリップ８００と係合する水平溝（または、スロット）６０４を後縁部１０８に備える。
【００５７】
６．０  突出型身体穿刺カートリッジの方法
図９が、本発明の身体穿刺カートリッジの実施形態を動作させる典型的な方法のフローチャートである。方法９００は、身体穿刺カートリッジの主ハウジングの後縁部を身体穿刺器具のプッシュサポートに係合させるステップ９０２で始まる。身体穿刺器具は、掌把持部に摺動可能に係合した指把持部を備えており、プッシュサポートは、掌把持部に堅固に結合している。さらに、身体穿刺カートリッジは、顎部トラックにおいて主ハウジングに摺動可能に係合する顎部を備え、ポストを支持するポストホルダが、主ハウジング内のポストホルダトラックに摺動可能に係合し、顎部トラックはポストホルダトラックに平行である。ステップ９０４において、身体穿刺カートリッジの顎部上の造作が、身体穿刺器具の指把持部に堅固に結合した対応する造作に係合する。顎部の造作は、顎部の端部が身体穿刺器具の指把持部からの前方延長部を超えて突出するように、顎部の端部よりも後方に配置される。次に、ステップ９０６において、身体部分が顎部の裏当てプラットフォームに対して配置され、身体部分が顎部とポストとの間に位置する。ステップ９０８において、ユーザの手の１本以上の指が、身体穿刺器具の指把持部に配置される。ステップ９１０において、ユーザの手の掌（または、親指）が、身体穿刺器具の掌把持部に配置される。ステップ９１２において、ポストが顎部の裏当てプラットフォームに対して身体部分を穿刺するように、カートリッジの顎部と本体とを顎部トラックに沿って相互に移動させるべく、身体穿刺器具の対応する造作に造作を係合させる指把持部と、身体穿刺器具のプッシュサポートに主ハウジングの後縁部を係合させる掌把持部との間に圧力を生じさせるために、掌と１本以上の指との間に圧力が加えられる。
【００５８】
これで、本発明の好ましい実施形態を含む説明を終了する。本発明の好ましい実施形態の以上の説明は、例示および説明を目的として提示されている。以上の説明は、すべてを述べ尽くすことも、本発明を開示された正確な形態に限定することも、意図していない。上記の教示に照らして、多くの修正および変更が可能である。
【００５９】
本発明の技術的範囲は、この詳細な説明によってではなく、むしろ添付の特許請求の範囲によって限定されるように意図されている。上記の仕様、例、およびデータは、本発明の装置および方法の製造および使用の完全な説明を提供する。本発明の技術的範囲から逸脱することなく本発明の多数の実施形態が可能であるため、本発明は添付の特許請求の範囲に属する。
【図１Ａ】
2020522305.tif 000003
【図１Ｂ】
2020522305.tif 000004
【図２Ａ】
2020522305.tif 000005
【図２Ｂ】
2020522305.tif 000006
【図２Ｃ】
2020522305.tif 000007
【図３Ａ】
2020522305.tif 000008
【図３Ｂ】
2020522305.tif 000009
【図３Ｃ】
2020522305.tif 000010
【図４Ａ】
2020522305.tif 000011
【図４Ｂ】
2020522305.tif 000012
【図５Ａ】
2020522305.tif 000013
【図５Ｂ】
2020522305.tif 000014
【図５Ｃ】
2020522305.tif 000015
【図６Ａ】
2020522305.tif 000016
【図６Ｂ】
2020522305.tif 000017
【図７Ａ】
2020522305.tif 000018
【図７Ｂ】
2020522305.tif 000019
【図７Ｃ】
2020522305.tif 000020
【図８Ａ】
2020522305.tif 000021
【図８Ｂ】
2020522305.tif 000022
【図９】
2020522305.tif 000023
【国際調査報告】
2020522305.tif 000024
2020522305.tif 000025